【手続補正書】
【提出日】平成22年6月4日(2010.6.4)
【手続補正１】
【補正対象書類名】明細書
【補正対象項目名】発明の名称
【補正方法】変更
【補正の内容】
【発明の名称】ダウンロード装置および方法、コンテンツ送受信システムおよび方法
【手続補正２】
【補正対象書類名】特許請求の範囲
【補正対象項目名】全文
【補正方法】変更
【補正の内容】
【特許請求の範囲】
【請求項１】
コンテンツをダウンロードするダウンロード装置であって、
ダウンロードする前記コンテンツの識別情報と、前記コンテンツの所在を示すコンテンツ所在情報と、前記コンテンツが更新型であるか非更新型であるかを示す更新チェック情報と、ダウンロード制御メタ情報の所在を示すメタ情報所在情報と、を含むダウンロード制御メタ情報を受信し、前記コンテンツ所在情報が示す場所から前記コンテンツをダウンロードする受信手段と、
前記更新チェック情報が前記コンテンツが更新型であることを示す場合に、前記ダウンロード制御情報を保持し、前記メタ情報所在情報が示す場所にある前記ダウンロード制御情報の更新がなされているかを確認する更新確認部と、
を有することを特徴とするダウンロード装置。
【請求項２】
コンテンツをダウンロードするダウンロード方法であって、
ダウンロードするコンテンツの識別情報と、前記コンテンツの所在を示すコンテンツ所在情報と、前記コンテンツが更新型であるか非更新型であるかを示す更新チェック情報と、ダウンロード制御メタ情報の所在を示すメタ情報所在情報と、を含む前記ダウンロード制御メタ情報を受信し、
前記ダウンロード制御メタ情報に基づいて、前記コンテンツ所在情報が示す場所から、前記コンテンツをダウンロードし、
前記更新チェック情報が前記コンテンツが更新型であることを示す場合に、前記ダウンロード制御情報を保持し、前記メタ情報所在情報が示す場所にある前記ダウンロード制御情報の更新がなされているかを確認する
ことを特徴とするダウンロード方法。
【請求項３】
コンテンツ送信装置とダウンロード装置とを有するコンテンツ送受信システムであって、
前記コンテンツ送信装置は、
コンテンツを配信するコンテンツ送信手段を有し、
前記ダウンロード装置は、
ダウンロードすれる前記コンテンツの識別情報と、前記コンテンツの所在を示すコンテンツ所在情報と、前記コンテンツが更新型であるか非更新型であるかを示す更新チェック情報と、ダウンロード制御メタ情報の所在を示すメタ情報所在情報と、を含むダウンロード制御メタ情報を受信し、 前記ダウンロード制御メタ情報に基づいて、前記コンテンツ所在情報が示す場所から、前記コンテンツをダウンロードする受信手段と、
前記更新チェック情報が、前記コンテンツが更新型であることを示す場合に、前記ダウンロード制御情報を保持し、前記メタ情報所在情報が示す場所にある前記ダウンロード制御情報の更新がなされているかを確認する更新確認部と、
を有する
ことを特徴とするコンテンツ送受信システム。
【請求項４】
コンテンツ送受信方法であって、
ダウンロードするコンテンツの識別情報と、前記コンテンツの所在を示すコンテンツ所在情報と、前記コンテンツが更新型であるか非更新型であるかを示す更新チェック情報と、ダウンロード制御メタ情報の所在を示すメタ情報所在情報と、を含む前記ダウンロード制御メタ情報を受信し、
前記ダウンロード制御メタ情報に基づいて、前記コンテンツ所在情報が示す場所から、前記コンテンツを配信し、
前記コンテンツをダウンロードし、
前記更新チェック情報が前記コンテンツが更新型であることを示す場合に、前記ダウンロード制御情報を保持し、前記メタ情報所在情報が示す場所にある前記ダウンロード制御情報の更新がなされているかを確認する
ことを特徴とするコンテンツ送受信方法。
【手続補正３】
【補正対象書類名】明細書
【補正対象項目名】００１２
【補正方法】変更
【補正の内容】
【００１２】
前記課題は、その一例として特許請求の範囲に記載の構成により解決できる。
【手続補正４】
【補正対象書類名】明細書
【補正対象項目名】００１３
【補正方法】削除
【補正の内容】
【手続補正５】
【補正対象書類名】明細書
【補正対象項目名】００７７
【補正方法】変更
【補正の内容】
【００７７】
また、監視が不要になったダウンロード制御情報を、自動的にダウンローダ550のデータベース情報から削除でき、不要ファイルが際限なくHDD450に蓄積されることがない。
前述の課題は例えば以下の構成により解決することができる。
例えば、ダウンロード制御情報の定期的な更新チェック時期を分散させることにより、サーバへのダウンロード要求を分散させる。
また、ダウンロード制御情報に、そのダウンロード制御情報が、更新管理をするかどうかを示す情報、及び／又は、更新管理する場合の更新期限の日時情報を設け、情報処理装置がこれらの情報に基づいてダウンロード処理が完了した際のダウンロード制御情報の消去処理を行う。
なお、上述の実施例は少なくとも下記を開示している。
（１）
コンテンツのダウンロードを制御するダウンロード制御装置であって、
ダウンロードされるコンテンツの識別情報を含むダウンロード制御データを記録する制御データ記録部と、
前記制御データ記録部に記録されているダウンロード制御データの更新を確認する更新確認部と、
前記更新確認部による確認のタイミングを設定する確認タイミング設定部とを有するダウンロード制御装置。
（２）
（１）のダウンロード制御装置であって、
前記ダウンロード制御データは、当該ダウンロード制御データのアドレスと、当該アドレスとは異なるダウンロードされるコンテンツのアドレスとを含むダウンロード制御装置。
（３）
（１）又は（２）のダウンロード制御装置であって、
前記ダウンロード制御データは、RSS（RDF Site Summary）に従って記述されているダウンロード制御装置。
（４）
（１）から（３）のいずれかのダウンロード制御装置であって、
前記確認タイミング設定部は、ダウンロード制御データの更新を確認する周期を変更するダウンロード制御装置。
（５）
（１）から（３）のいずれかのダウンロード制御装置であって、
前記確認タイミング設定部は、ダウンロード制御データの更新を確認する周期の起算時を乱数を用いて変更するダウンロード制御装置。
（６）
ダウンロード制御装置であって、
通信回線を介してダウンロードしたコンテンツを記録するコンテンツ記録部と、
前記コンテンツ記録部に記録されたコンテンツの更新を所定の周期で確認する更新確認部と、
前記更新確認部による確認の周期の起算時をダウンロードした時以外に設定する起算時設定部とを有するダウンロード制御装置。
（７）
コンテンツのダウンロードを制御するダウンロード制御装置であって、
ダウンロードされるコンテンツの識別情報と、当該コンテンツのダウンロード元のアドレスとを含むダウンロード制御データを生成する制御データ生成部を有し、
前記制御データ生成部は、前記ダウンロード制御データに、当該ダウンロード制御データのダウンロード元のアドレスと、当該ダウンロード制御データの更新の確認有無とを含めて生成するダウンロード制御装置。
（８）
コンテンツのダウンロードを制御するダウンロード制御装置であって、
ダウンロードされるコンテンツの識別情報と、当該コンテンツのダウンロード元のアドレスとを含むダウンロード制御データを生成する制御データ生成部を有し、
前記制御データ生成部は、前記ダウンロード制御データに、当該ダウンロード制御データのダウンロード元のアドレスと、当該ダウンロード制御データの更新の期限又は期間とを含めて生成するダウンロード制御装置。
（９）
コンテンツのダウンロードを制御するダウンロード制御装置であって、
ダウンロードされるコンテンツの識別情報と、当該コンテンツのダウンロード元のアドレスとを含むダウンロード制御データを生成する制御データ生成部を有し、
前記制御データ生成部は、前記ダウンロード制御データに、当該ダウンロード制御データのダウンロード元のアドレスと、当該ダウンロード制御データの更新の確認有無と、当該ダウンロード制御データの更新の期限又は期間とを含めて生成するダウンロード制御装置。
（１０）
コンテンツのダウンロードを制御するダウンロード制御装置であって、
ダウンロードされるコンテンツの識別情報と当該コンテンツのダウンロード元のアドレスとを含むをダウンロード制御データを記録する制御データ記録部と、
前記制御データ記録部に記録されているダウンロード制御データに含まれる当該ダウンロード制御データの更新情報に従って、当該ダウンロード制御データ更新を確認する更新確認部とを有するダウンロード制御装置。
（１１）
（１０）のダウンロード制御装置であって、
前記更新情報は、ダウンロード制御データの更新の確認有無と、当該ダウンロード制御データの更新の期限又は期間とを含むダウンロード制御装置。